(57)【要約】 【課題】肉眼では直接見る事の出来なかった高速で移動するゴルフクラブのクラブヘッドやラケット、バット等の打撃用具のスイング軌道とフェースの開閉、ボールとフェースの打撃接点、スイングスピードを肉眼でリアルタイムで確認できるようにする。【解決手段】クラブヘッドやラケット上部側面に発光ダイオード１を数個取り付け発光間隔調整電気基板２によって一定間隔発光点滅させることで打撃面フェース５が移動する速度に従って１回点滅移動距離１０が変化することでおよそのヘッドスピードと加速と減速の状態、また同時に点滅する発光ダイオード１の表示する打撃面フェース開閉角度９の開閉、ボールとフェースの打撃接点、を打撃者自身が肉眼でリアルタイムで確認することができ、特定のヘッドスピードに調整しスイングできるゴルフクラブ、ラケット、バット等の点滅発光ダイオード付打撃用具である。【選択図】 図１
2009112613.tif 000002
【特許請求の範囲】
【請求項１】
周期的等間隔で点滅する数個の発光ダイオードを打撃面フェース上部側面に配置することによって、スイングスピードの変化を発光ダイオードの点滅の一定時間間隔の間に移動した距離の変化によって、肉眼でスイングと同時に確認でき、スイングの一定時間間隔で変化する打撃面フェースのグリップを支点とする開閉角度を直線に並んだ発光ダイオードが表し、打撃面フェースの中心に配置された発光ダイオードとボールのコンタクトポイントの位置関係を肉眼でスイングと同時に確認できるゴルフクラブおよびラケット、バット等の点滅発光ダイオード付打撃用具
【請求項２】
周期的等間隔で点滅する数個の発光ダイオードを打撃面フェース上部側面に配置することによって、スイングの軌道を打撃面フェース上面の発光ダイオードが通過する軌道によって、肉眼でスイングと同時に確認できる請求項１記載のゴルフクラブおよびラケット、バット等の点滅発光ダイオード付打撃用具
【請求項３】
周期的等間隔で点滅する数個の発光ダイオードを打撃面フェース上部側面に配置することによって、打撃者の要求するスイングスピードを発光ダイオードの点滅の時間間隔を変化させ一定の移動距離を保ってスイングすることによって、肉眼でスイングと同時に打撃できる請求項１記載のゴルフクラブおよびラケット、バット等の点滅発光ダイオード付打撃用具
【発明の詳細な説明】
【技術分野】
【０００１】
本発明は、高速で移動する打撃面フェースの速度と角度と位置をリアルタイムに肉眼で確認できるゴルフクラブおよびラケット、バット等点滅発光ダイオード付打撃用具に関するものである。 
【背景技術】
【０００２】
従来のスイング解析はストロボ発光や高速度カメラ等外部機材による撮影画像をスイング終了後にモニター画面で確認するものであった。
【特許文献１】特許公開２００２−２４８１８９号公報
【発明の開示】
【発明が解決しようとする課題】
【０００３】
解決しようとする問題点は、ストロボ発光や高速度カメラ等による撮影をスイング終了後に画面で確認していた、ヘッドスピードの変化、フェースの開閉、スイングの軌道、ボールとのコンタクトポイント  を、肉眼でスイングと同時に確認できるゴルフクラブおよびラケット、バット等の点滅発光ダイオード付打撃用具を提供することを課題とする。 
【課題を解決するための手段】
【０００４】
以上の課題を解決するために、第一発明は、周期的等間隔で点滅する数個の発光ダイオードを打撃面フェース上面に配置することによって、ヘッドスピードの変化を点滅の時間的間隔の間に移動した距離の変化によって、肉眼でスイングと同時に確認でき、打撃面フェースの開閉を直線に並んだ発光ダイオードがグリップを支点として表す角度を、肉眼でスイングと同時に確認でき、打撃面フェースの中心上部側面に配置された発光ダイオードとボールのコンタクトポイントの位置関係を肉眼でスイングと同時に確認できることを特徴としたることを特徴としたゴルフクラブおよびラケット、バット等の点滅発光ダイオード付打撃用具である。
また第二発明は、周期的等間隔で点滅する数個の発光ダイオードを打撃面フェース上面に配置することによって、スイングの軌道を発光ダイオードが通過する軌道によって、肉眼でスイングと同時に確認できることを特徴としたゴルフクラブおよびラケット、バット等の点滅発光ダイオード付打撃用具である。
第三発明は、周期的等間隔で点滅する数個の発光ダイオードを打撃面フェース上面に配置することによって、打撃者の要求するスイングスピードを発光ダイオードの点滅の時間間隔を変化させ一定の移動距離を保ってスイングすることによって、肉眼でスイングと同時に確認し打撃できる請求項１記載のゴルフクラブおよびラケット、バット等の点滅発光ダイオード付打撃用具
【発明の効果】
【０００５】
本発明よれば、今まで肉眼で見ることの出来なかった高速で移動する打撃面フェースの実際の動きを発光ダイオードの点滅の残像を肉眼でスイングと同時に確認出来るようになったことで、スイングを行った人の感覚と打撃面フェースの実際の動きの差を、スイングを行った人自身が認識し打撃面フェースの加速と減速、開閉、軌道をコントロールしながらの多様な打撃ができ、また発光ダイオードの点滅の時間間隔を変化させ一定の移動距離を保ってスイングすることによって打撃者が要求するスイングスピードで打撃することが可能となる、特にゴルフは距離感を要求される競技であり無風状態ではヘッドスピードとクラブヘッドの入射角、クラブヘッドに付けられたロフト角とボールの反発力によって飛距離が決定されるが、その中でもヘッドスピードが打撃者が打撃中に変更出来る大きな要素のひとつである、このヘッドスピードを自在に操ることが飛距離を自在に調整できる効果を発揮します、また一般的な１秒間６０コマ撮影のビデオカメラで撮影してもその発光ダイオードの発光が点線の軌道線となって撮影されるため特別な高速度カメラやストロボといった環境を必要としないで詳細なスイングの確認が可能となる。
【発明を実施するための最良の形態】
【０００６】
この発明の一実施形態を図１に示す
ゴルフクラブの打撃面フェース５の上部側面には３個の発光ダイオード１が取り付けられており発光間隔調整電気基盤２とバッテリー３がシャフト７内部グリップ６装着内部に設置されている。
【０００７】
図１は、本発明装置点滅発光ダイオード付打撃用具の１実施例の側面図である。
上側面に取り付けられた発光ダイオード１の個数は最低２個から１０個以上でも良い、発光ダイオード１の色は赤色、白色、青色、緑色を使用する、レンズの直径は２ミリから６ミリとし、発光ダイオードの最外側の幅は５センチから１５センチとする、打撃面フェース上部側面への取付は表面に穴を開けて発光ダイオードを挿入して接着剤で固定する方法か、臨時的に装着するために発光ダイオードを別ケースに接着剤で接着してから脱着可能な両面テープ等で接着固定する方法で装着する。
【０００８】
発光間隔調整電気基盤２は点滅間隔を点滅なしの０ヘルツから１，０００ヘルツまで無段階に可変調整とし、リモコンによる遠隔操作及び直接操作にて調整することが出来る、表示はヘッドスピードをメートル毎秒で表示する方法とスイングを４分割して４分の１、４分の２、４分の３、フルスイングと表示する方法が有り切り替えることが出来る、また装着位置は各種打撃用具のバランスを考慮して打撃に影響の出ない範囲でどの位置にも装着してかまわない
【０００９】
図２は本発明装置点滅発光ダイオード付打撃用具の１実施例の説明図である。
打撃者は点滅する発光ダイオードを見ながら素振りすることで打撃者が想定しながら行ったスイング軌道と発光ダイオード通過軌道線８がどの程度差が有るかを認識することによって、本来の想定軌道と実際の発光ダイオード通過軌道線８の差を短期間に縮めることが可能となる
【００１０】
ヘッドスピードの指定を行い打撃者が指定したヘッドスピードと同じ速度でスイングすると最外側の発光ダイオードの幅と同じ１回点滅移動距離１０で点滅する、ヘッドスピードが遅いと１回点滅移動距離１０は短く、ヘッドスピードが速いと１回点滅移動距離１０長くなることで、打撃者はヘッドスピードを確認できる。
【００１１】
打撃面フェース５の開閉を発光ダイオード通過軌道線８と直角な直線に並んだ発光ダイオードがグリップを支点として表す打撃面フェース開閉角度９を、肉眼でスイングと同時に確認でき、打撃面フェースが閉じているときはフック回転がボールに与えられ右利きの場合は左に曲がる、打撃面フェースが開いているときはスライス回転がボールに与えられ右利きの場合は右に曲がる、打撃面フェース開閉角度９の角度が大きくなるほど大きく曲がることで、打撃者は自在にフェース角度を調整しながら左右に曲げることが可能となる。
【００１２】
打撃面フェース５の中心上部側面に配置された発光ダイオード１とボールのコンタクトポイントの位置関係を肉眼でスイングと同時に確認できる
本発明に関する点滅発光ダイオード付打撃用具付いて詳細を説明したが、本発明は以上の実施形態に限定されるものではなく本発明の要旨を逸脱しない範囲で各種の改良や変更を行っても良い。
【図面の簡単な説明】
【００１３】
【図１】この発明の一実施形態を示した側面図である。
【図２】点滅発光ダイオード付打撃用具の実施方法を示した説明図である。
【符号の説明】
【００１４】
１   発光ダイオード
２   発光間隔調整電気基板
３   バッテリー
４   配線
５   打撃面フェース
６   グリップ
７    シャフト
８    発光ダイオード通過軌道線
９    打撃面フェース開閉角度
１０ １回点滅移動距離
【図１】
2009112613.tif 000003
【図２】
2009112613.tif 000004